(57)【要約】【課題】適正な断面形状のＨ形鋼を使用して、かつ耐火性能を満足させて天井ふところを低くする。【解決手段】合成梁１０は、スタッド２４が接合されたＨ形鋼１２を有している。Ｈ形鋼１２の成はＨとされ、図示しない柱の間に架け渡されている。ウェブ１８の両面には、下側フランジ１６の幅で下側フランジ１６の上面とコンクリートスラブ２０の下面の間にウェブコンクリート２２が打設されている。ウェブコンクリート２２は、コンクリートスラブ２０と一緒に打設され、コンクリートスラブ２０を支持している。ウェブコンクリート２２は、スタッド２４と、スタッド２４に取付けられた補強筋２６で落下防止が図られている。コンクリートスラブ２０は厚さｈとされ、コンクリートスラブ２０の上面はＨ形鋼１２の上側フランジ１４の上面と同じ高さとされ、Ｈ形鋼１２の上側フランジ１４とウェブ１８の上部は、コンクリートスラブ２０に埋設されている。【選択図】図１
2010047910.tif 000002
【特許請求の範囲】
【請求項１】
Ｈ形鋼と、
前記Ｈ形鋼の上側フランジの下面、及び前記Ｈ形鋼のウェブの両面に接合されたスタッドと、
前記スタッドに取付けられた補強筋と、
上面が前記Ｈ形鋼の上側フランジの上面と同一面とされたコンクリートスラブと、
前記コンクリートスラブのコンクリートと共に打設され、前記スタッド及び前記補強筋が内部に埋め込まれ、前記Ｈ形鋼のウェブの両面に構築されたウェブコンクリートと、
を有する合成梁。
【請求項２】
Ｈ形鋼と、
前記Ｈ形鋼の上側フランジの下面、及び前記Ｈ形鋼のウェブの両面に接合されたスタッドと、
前記スタッドに取付けられた補強筋と、
上面が前記Ｈ形鋼の上側フランジの上面と同一面とされたコンクリートスラブと、
前記スタッド及び前記補強筋が内部に埋め込まれ、前記Ｈ形鋼のウェブの両面に固定され、前記コンクリートスラブと一体とされたプレキャストウェブコンクリートと、
を有する合成梁。
【請求項３】
前記スタッドが接合され、前記スタッドに前記補強筋が取付けられた前記Ｈ形鋼を架け渡し、
前記Ｈ形鋼の上側フランジの上面から前記コンクリートスラブの厚さだけ下方に、平面視をしたとき前記上側フランジと重なる部分を除いてスラブ型枠を敷設し、
前記Ｈ形鋼のウェブの両側に、前記Ｈ形鋼の下側フランジの先端から前記スラブ型枠の下面まで、縦方向にウェブ型枠を取付け、
前記スラブ型枠、及び前記ウェブ型枠と前記ウェブの間に前記コンクリートを打設する請求項１に記載の合成梁の合成梁施工方法。
【請求項４】
前記スタッドが接合され、前記スタッドに前記補強筋が取付けられた前記Ｈ形鋼のウェブの両面に、前記上側フランジの上面との間に前記コンクリートスラブの厚さに相当する隙間を開けてプレキャストウェブコンクリートを固定し、
前記プレキャストウェブコンクリートが固定された前記Ｈ形鋼を架け渡し、
平面視をしたとき前記上側フランジと重なる部分を除いてスラブ型枠を敷設し、
前記スラブ型枠、及び前記プレキャストウェブコンクリートの上面と前記上側フランジの下面との隙間にコンクリートを打設する請求項２に記載の合成梁の合成梁施工方法。
【請求項５】
請求項１〜４に記載の合成梁が柱に連結された耐火建築物。
【発明の詳細な説明】
【技術分野】
【０００１】
本発明は、合成梁、合成梁施工方法、及び耐火建築物に関する。
【背景技術】
【０００２】
建物の階高は、居住のための居住空間と、建物を構成する梁やコンクリートスラブ等が配置された居住空間以外の空間（以下これらの空間を代表して「天井ふところ」と記載する。）を合計した高さである。
【０００３】
近年、居住性能を向上させる目的で、同じ階高であっても、居住空間の天井高をより高くしたいという要望がある。また、建物の有効面積を少しでも広く確保したいという目的で、居住空間は犠牲にせずに、階高を小さくして階数を増やしたいという要望がある。いずれの要望も、天井ふところの高さを低くすれば解消する。
【０００４】
しかし、天井ふところの高さは、コンクリートスラブの厚さと、コンクリートスラブを上面に載せて支持する梁の高さ（梁成）を合計した高さが大きな割合を占めている。コンクリートスラブの厚さと梁成は、建築の強度に直接影響を及ぼす要素であり、建物の性能を低下させずに低くする必要がある。
【０００５】
従来、やむを得なく天井ふところを低くする場合には、適正なＨ形鋼の設計からは外れるが、梁成の低い扁平断面のＨ形鋼を用いて梁成を低くし、その分だけ天井ふところを低くする方法で対応していた。しかし、扁平断面のＨ形鋼の使用は、鉄骨重量の増大や価格の上昇を伴うため好ましくなく、適正な断面形状のＨ形鋼を使用して、天井ふところを低くする技術が求められている。
【０００６】
更に、居住空間を有する建物は耐火建築物であることが要求される。耐火建築物においては、空間に露出した鉄骨梁（Ｈ形鋼）の部分は耐火被覆を施す必要があり、この耐火被覆材の厚さも天井ふところの高さに加わる。このため、天井ふところを低くするには、耐火被覆材を用いないで耐火性能を満足させる構成としなければならない。
【０００７】
天井ふところを低くしたいという要望に応える技術として、Ｈ形鋼の上側フランジの上面とコンクリートスラブの上面を一致させ、Ｈ形鋼の上部をコンクリートスラブに埋設させることで、コンクリートスラブの厚さだけ天井ふところを低くする構造が提案されている（特許文献１）。
【０００８】
しかし、図９（Ａ）（Ｂ）に示すように、特許文献１は、コンクリートスラブ２を、Ｈ形鋼１のウェブ１ｃに取付けたスラブ受け冶具４で支持している。このため、スラブ受け冶具４の追加と、スラブ受け冶具４をウェブ１ｃに取付ける作業が別途必要となる。
【０００９】
更に、図９（Ｃ）（Ｄ）に示すように、特許文献１を耐火建築物に適用する場合には、露出したＨ形鋼１の部分を耐火被覆材７で覆わなければならない。即ち、コンクリートスラブ２の下方に露出しているウェブ１ｃ、スラブ受け冶具４、下側フランジ１ｂのそれぞれの表面を耐火被覆材７で覆う必要がある。
【００１０】
この結果、下側フランジ１ｂの下面も耐火被覆材７で覆われるため、耐火被覆材７の厚さだけ、天井ふところが高くなってしまう。
【特許文献１】特開２００２−１８８２０９号公報
【発明の開示】
【発明が解決しようとする課題】
【００１１】
本発明は、上記事実に鑑み、適正な断面形状のＨ形鋼を使用して、かつ耐火性能を満足させて天井ふところを低くすることを目的とする。
【課題を解決するための手段】
【００１２】
請求項1に記載の発明に係る合成梁は、Ｈ形鋼と、前記Ｈ形鋼の上側フランジの下面、及び前記Ｈ形鋼のウェブの両面に接合されたスタッドと、前記スタッドに取付けられた補強筋と、上面が前記Ｈ形鋼の上側フランジの上面と同一面とされたコンクリートスラブと、前記コンクリートスラブのコンクリートと共に打設され、前記スタッド及び前記補強筋が内部に埋め込まれ、前記Ｈ形鋼のウェブの両面に構築されたウェブコンクリートと、を有することを特徴としている。
【００１３】
請求項1に記載の発明によれば、コンクリートスラブの上面が、Ｈ形鋼の上側フランジの上面と同一面とされている。また、Ｈ形鋼の上側フランジの下面、及びウェブの両面にはスタッドが接合され、スタッドには補強筋が取付けられている。Ｈ形鋼のウェブの両面には、スタッド及び補強筋が内部に埋め込まれ、コンクリートスラブのコンクリートと共に打設されたウェブコンクリートが構築されている。
【００１４】
これにより、コンクリートスラブの厚さだけ天井ふところを小さくできる。このとき、適正な断面形状のＨ形鋼を使用しており、Ｈ形鋼としての性能の低下は生じない。
また、コンクリートスラブでＨ形鋼の上側フランジと下側フランジが熱的に分断されるため、火災時に上側フランジと下側フランジが同時に加熱されることがなくなり、Ｈ形鋼の耐熱性能が向上する。更に、Ｈ形鋼のウェブの両面に構築されたウェブコンクリートが有する熱容量により、ウェブの温度上昇が抑制される。
【００１５】
上述の構成により、Ｈ形鋼に要求される耐火基準を満足させることができ、耐火建築物に適用された場合でも下側フランジの下面の耐火被覆が不要となる。この結果、耐火被覆材の厚さだけ天井ふところを小さくできる。
更に、ウェブコンクリートでＨ形鋼の質量が増大し、Ｈ形鋼の横振動が抑制できる。この結果、Ｈ形鋼の横振動を抑制するための小梁の使用本数を減らすことができる。
【００１６】
請求項２に記載の発明に係る合成梁は、Ｈ形鋼と、前記Ｈ形鋼の上側フランジの下面、及び前記Ｈ形鋼のウェブの両面に接合されたスタッドと、前記スタッドに取付けられた補強筋と、上面が前記Ｈ形鋼の上側フランジの上面と同一面とされたコンクリートスラブと、前記スタッド及び前記補強筋が内部に埋め込まれ、前記Ｈ形鋼のウェブの両面に固定され、前記コンクリートスラブと一体とされたプレキャストウェブコンクリートと、を有することを特徴としている。
【００１７】
請求項２に記載の発明によれば、コンクリートスラブの上面が、Ｈ形鋼の上側フランジの上面と同一面とされている。また、Ｈ形鋼の上側フランジの下面、及びウェブの両面にはスタッドが接合され、スタッドには補強筋が取付けられている。Ｈ形鋼のウェブの両面には、スタッド及び補強筋が内部に埋め込まれたプレキャストウェブコンクリートが固定され、コンクリートスラブと一体となっている。
これにより、コンクリートスラブの厚さだけ天井ふところを小さくできる。このとき、適正な断面形状のＨ形鋼を使用しており、Ｈ形鋼としての強度の低下はない。
【００１８】
また、Ｈ形鋼のウェブの両面に、予めプレキャストウェブコンクリートを固定しておくことで、現場でのコンクリートの打設作業が省け、工期の短縮が図れる。
更に、スラブコンクリートによる耐火性能の向上に加え、プレキャストウェブコンクリートでも同様に、プレキャストウェブコンクリートが有する熱容量でＨ形鋼のウェブの温度上昇が抑制される。
【００１９】
上述の構成とすることにより、Ｈ形鋼に要求される耐火基準を満足させることができ、耐火建築物に適用された場合でも下側フランジの下面の耐火被覆が不要となる。この結果、耐火被覆材の厚さだけ天井ふところを小さくできる。
【００２０】
請求項３に記載の発明に係る請求項１に記載の合成梁の合成梁施工方法は、前記スタッドが接合され、前記スタッドに前記補強筋が取付けられた前記Ｈ形鋼を架け渡し、前記Ｈ形鋼の上側フランジの上面から前記コンクリートスラブの厚さだけ下方に、平面視をしたとき前記上側フランジと重なる部分を除いてスラブ型枠を敷設し、前記Ｈ形鋼のウェブの両側に、前記Ｈ形鋼の下側フランジの先端から前記スラブ型枠の下面まで、縦方向にウェブ型枠を取付け、前記スラブ型枠、及び前記ウェブ型枠と前記ウェブの間に前記コンクリートを打設することを特徴としている。
【００２１】
請求項３に記載の発明によれば、先ず、Ｈ形鋼にスタッドを接合し、スタッドに補強筋を取付ける。次に、Ｈ形鋼を架け渡し、Ｈ形鋼の上側フランジの上面からコンクリートスラブの厚さだけ下方にスラブ型枠を敷設する。次いで、ウェブ型枠を、Ｈ形鋼のウェブの両側で、Ｈ形鋼の下側フランジの先端からスラブ型枠の下面までの範囲に取付ける。その後、スラブ型枠、及びウェブ型枠とウェブの間にコンクリートを打設し、コンクリートスラブ及びウェブコンクリートを構築する。
【００２２】
これにより、養生後は、ウェブコンクリートがコンクリートスラブを支持するので、ウェブにはスラブ受け金具が不要となる。
【００２３】
請求項４の発明に係る請求項２に記載の合成梁の合成梁施工方法は、前記スタッドが接合され、前記スタッドに前記補強筋が取付けられた前記Ｈ形鋼のウェブの両面に、前記上側フランジの上面との間に前記コンクリートスラブの厚さに相当する隙間を開けてプレキャストウェブコンクリートを固定し、前記プレキャストウェブコンクリートが固定された前記Ｈ形鋼を架け渡し、平面視をしたとき前記上側フランジと重なる部分を除いてスラブ型枠を敷設し、前記スラブ型枠、及び前記プレキャストウェブコンクリートの上面と前記上側フランジの下面との所定の隙間にコンクリートを打設することを特徴としている。
【００２４】
請求項４に記載の発明によれば、先ず、Ｈ形鋼にスタッドを接合し、スタッドに補強筋を取付ける。次に、Ｈ形鋼のウェブの両面に、上側フランジの上面との間にコンクリートスラブの厚さに相当する隙間を開けてプレキャストウェブコンクリートを固定する。
次に、このプレキャストウェブコンクリートが固定されたＨ形鋼を架け渡す。
次に、平面視をしたとき上側フランジと重なる部分を除いてスラブ型枠を敷設し、スラブ型枠にコンクリートを打設する。このとき、プレキャストウェブコンクリートの上面と上側フランジの下面の間の隙間にもコンクリートを打設し、コンクリートスラブとする。
【００２５】
このように、コンクリートスラブの施工において、プレキャストウェブコンクリートの上面でスラブを支持するので施工性が向上する。また、ウェブにはスラブ受け金具が不要となる。
【００２６】
請求項５に記載の発明に係る耐火建築物は、請求項１〜４に記載の合成梁が柱に連結されたことを特徴としている。
これにより、耐火建築物においても、Ｈ形鋼の下側フランジの下面の耐火被覆材が不要となり、天井ふところを低くできる。
【発明の効果】
【００２７】
本発明は、上記構成としてあるので、適正な断面形状のＨ形鋼を使用して、かつ耐火性能を満足させて天井ふところを低くできる。
【発明を実施するための最良の形態】
【００２８】
（第１の実施の形態）
図１に示すように、第１の実施の形態に係る合成梁１０はＨ形鋼１２を有している。
Ｈ形鋼１２の上側フランジ１４の下面、及びウェブ１８の両面にはスタッド２４が接合され、スタッド２４には補強筋２６が取付けられている。Ｈ形鋼１２の成はＨとされ、図示しがない柱の間に架け渡されている。ウェブ１８の両面には、下側フランジ１６の幅で、下側フランジ１６の上面とコンクリートスラブ２０の下面の間にウェブコンクリート２２が打設されている。
【００２９】
ウェブコンクリート２２は、コンクリートスラブ２０と一緒に打設され、コンクリートスラブ２０を支持している。ウェブコンクリート２２は、ウェブ１８の両面に接合されたスタッド２４と、スタッド２４の先端部に取付けられた補強筋２６で落下防止が図られている。
【００３０】
コンクリートスラブ２０は厚さｈとされ、内部には主筋２８と配力筋３０が配筋されている。コンクリートスラブ２０の上面は、Ｈ形鋼１２の上側フランジ１４の上面と同じ高さとされ、Ｈ形鋼１２の上側フランジ１４とウェブ１８の上部は、コンクリートスラブ２０に埋設されている。
【００３１】
上述の構成とすることにより、Ｈ形鋼１２の成Ｈにコンクリートスラブ２０の厚さｈを加えた高さとしなくても、Ｈ形鋼１２でコンクリートスラブ２０を支持できる。
【００３２】
即ち、図２（Ａ）に示すように、従来は、Ｈ形鋼１２でコンクリートスラブ２０を支持する場合、Ｈ形鋼１２の上側フランジ１４の上面にコンクリートスラブ２０を載せていた。このため、Ｈ形鋼１２の成Ｈとコンクリートスラブ２０の厚さｈを合計した高さ（Ｈ＋ｈ）の確保が必要であった。この高さ（Ｈ＋ｈ）を小さくするには、他に手段がないため、Ｈ形鋼１２の性能は低下するが、扁平断面のＨ形鋼を使用してＨ形鋼１２の成Ｈを小さくする方法で対応していた。
【００３３】
一方、図２（Ｂ）に示すように、合成梁１０は、コンクリートスラブ２０の上面と、Ｈ形鋼１２の上側フランジ１４の上面とを同一面とし、コンクリートスラブ２０にＨ形鋼１２の一部を埋め込むことで、コンクリートスラブ２０と、クリートスラブ２０を支持するＨ形鋼１２を合計した高さを、Ｈ形鋼１２の成Ｈに押さえることができる。
【００３４】
このとき、Ｈ形鋼１２は、適正な断面形状のものを使用することができ、Ｈ形鋼１２の性能の低下は生じない。
次に、合成梁１０の耐火性能について説明する。
【００３５】
図２（Ａ）に示すように、耐火建築物においては、Ｈ形鋼１２の露出している部分は耐火性能を満たすため、周囲を厚さｓの耐火被覆材３８で覆う必要がある。
【００３６】
しかし、図２（Ｂ）に示す合成梁１０の構成とすることにより、コンクリートスラブ２０の上階、若しくは下階のいずれかの階で火災が発生した時には、コンクリートスラブ２０が断熱材として作用し、Ｈ形鋼１２の上側フランジ１４と下側フランジ１６を熱的に分断する。これにより、上側フランジ１４と下側フランジ１６が同時に加熱されることが防げ、Ｈ形鋼１２の耐熱性能が向上する。
【００３７】
更に、ウェブ１８の両面に構築されたウェブコンクリート２２も断熱材として作用し、ウェブ１８が直接火炎に曝されることを防ぐ。同時にウェブコンクリート２２が有する熱容量により、ウェブ１８の温度上昇が抑制される。
【００３８】
このように、Ｈ形鋼１２をコンクリートスラブ２０とウェブコンクリート２２に埋め込むことにより、Ｈ形鋼１２に要求される耐火基準を満足させることができる。この結果、合成梁１０を耐火建築物に適用した場合に、下側フランジ１６の下面は露出されているにも係わらず、耐火被覆材（厚さｓ）が不要となる。
【００３９】
このように、合成梁１０は従来に比べ、コンクリートスラブ２０と、クリートスラブ２０を支持するＨ形鋼１２を合計した高さを、コンクリートスラブ２０の厚さｈと耐火被覆材の厚さｓを合計した寸法だけ低くできる。即ち、図示しない天井ふところを低くできる。
【００４０】
次に、合成梁１０の施工方法について説明する。
【００４１】
図３に示すように、先ず、Ｈ形鋼１２の上側フランジの下面、及びウェブ１８の両面にスタッド２４を接合し、スタッド２４に落下防止用の補強筋２６を取付ける。次に、Ｈ形鋼１２を図示しない柱の間に架け渡し、Ｈ形鋼１２の上側フランジ１４の上面からコンクリートスラブ２０の厚さｈだけ下方にスラブ型枠３２を敷設し、主筋２８と配力筋３０を配筋する。
【００４２】
次に、ウェブ型枠３４を、Ｈ形鋼１２のウェブ１８の両側に取付ける。このとき、ウェブ型枠３４は、Ｈ形鋼１２の下側フランジ１６の先端から、スラブ型枠３２の下面までの範囲に縦方向に配置する。
【００４３】
その後、スラブ型枠３２の上にコンクリート３６を打設する。このとき、ウェブ型枠３４とウェブ１８の間にもコンクリート３６を一緒に打設する。これにより、スタッド２４及び補強筋２６が内部に埋め込まれた状態で、コンクリートスラブ２０とウェブコンクリート２２を一体として構築できる。
【００４４】
養生後は、ウェブコンクリート２２がコンクリートスラブ２０を支持するので、コンクリートスラブ２０を支持するためのスラブ受け金具を、ウェブ１８に固定する必要がない。
【００４５】
更に、ウェブコンクリート２２でＨ形鋼１２の質量が増大する。この結果、Ｈ形鋼１２が周囲から伝播される微振動で横方向に振動するのを抑制でき、Ｈ形鋼１２の横振動を抑制するための小梁の使用本数を減らすことができる。
【００４６】
（第２の実施の形態）
図４に示すように、第２の実施の形態に係る合成梁４０は、Ｈ形鋼のＨ形鋼４２を有している。Ｈ形鋼４２の上側フランジ４４の下面、及びウェブ４８の両面にはスタッド２４が接合され、スタッド２４には補強筋２６が取付けられている。
Ｈ形鋼４２の成はＨとされ、図示しない柱の間に架け渡されている。ウェブ４８の両面には、下側フランジ１６の幅で、下側フランジ１６の上面とコンクリートスラブ２０の下面の間にプレキャストウェブコンクリート５０が固定されている。
【００４７】
プレキャストウェブコンクリート５０は、Ｈ形鋼４２を架け渡す前に固定され、コンクリートスラブ５２を支持している。プレキャストウェブコンクリート２２は、ウェブ１８の両面に接合されたスタッド２４と、スタッド２４の先端部に取付けられた補強筋２６で落下防止が図られている。
【００４８】
コンクリートスラブ５２は厚さｈとされ、内部には主筋５４と配力筋５６が配筋されている。コンクリートスラブ５２の上面は、Ｈ形鋼１２の上側フランジ４４の上面と同じ高さとされ、下面は、プレキャストウェブコンクリート５０で支持されている。Ｈ形鋼４２の上側フランジ４４とウェブ４８の上部は、コンクリートスラブ５２に埋設されている。
【００４９】
上述の構成とすることにより、Ｈ形鋼４２の成Ｈにコンクリートスラブ５２の厚さｈを加えた高さとしなくても、Ｈ形鋼４２でコンクリートスラブ５２を支持できる。
【００５０】
即ち、第１の実施の形態で説明したように、図５（Ａ）に示す構成としなくてもＨ形鋼４２でコンクリートスラブ５２を支持でき、図５（Ｂ）に示すように、コンクリートスラブ５２の上面と、Ｈ形鋼４２の上側フランジ１４の上面とを同一面とし、コンクリートスラブ５２にＨ形鋼４２の一部を埋め込むことで、コンクリートスラブ５２と、クリートスラブ５２を支持するＨ形鋼４２を合計した高さを、Ｈ形鋼４２の成Ｈとすることができる。
【００５１】
このとき、Ｈ形鋼４２は、適正な断面形状のものを使用することができ、Ｈ形鋼４２の性能の低下は生じない。
なお、合成梁４０の耐火性能は合成梁１０と同じであり、説明は省略する。
このように、合成梁４０は、従来に比べ、コンクリートスラブ５２と、クリートスラブ５２を支持するＨ形鋼４２を合計した高さを、コンクリートスラブ５２の厚さｈと、耐火被覆材の厚さｓだけ小さくできる。即ち、図示しない天井ふところを低くできる。
【００５２】
次に、合成梁４０の施工方法について説明する。
図６（Ａ）に示すように、先ず、Ｈ形鋼１２の上側フランジの下面、及びウェブ１８の両面にスタッド２４を接合し、スタッド２４に落下防止用の補強筋２６を取付ける。
【００５３】
次いで、ウェブ型枠３４を、Ｈ形鋼４２のウェブ４８の両側で、Ｈ形鋼４２の下側フランジ４６の先端から、上側フランジ４４の上面との間に隙間ｈを開けて縦方向に取付ける。
その後、ウェブ型枠３４とウェブ４８の間にコンクリートを打設し、プレキャストウェブコンクリート５０とする。
【００５４】
プレキャストウェブコンクリート５０の養生後、プレキャストウェブコンクリート５０が固定されたＨ形鋼４２を、図示しない柱の間に架け渡す。
【００５５】
次に、平面視をしたとき上側フランジ４４と重なる部分を除いてスラブ型枠３２を敷設する。主筋５４と配力筋５６を配筋した後、スラブ型枠３２の上にコンクリートを打設する。プレキャストウェブコンクリート５０と上側フランジ４４の下面の間にもコンクリートを打設し、コンクリートスラブ５２とする。
【００５６】
このとき、スラブ型枠３２の敷設作業からコンクリートスラブ５２の打設作業の間において、プレキャストウェブコンクリート５０の上面が支持部材として利用でき、作業性が向上する。
【００５７】
（第３の実施の形態）
図７、８に示すように、第３の実施の形態に係る耐火建築物６０は、合成梁１０が柱６２に連結されている。
柱６２は中空の丸型又は角型鋼管（コンクリートが充填された丸型または角型鋼管）であり、柱６２の周囲は梁の方向に突出した継手部６５Ａを有する柱梁接合部材６５で囲まれ、柱６２と柱梁接合部材６５が直接接合されている。Ｈ形鋼１２は柱梁接合部材６５の継手部６５Ａと、溶接又は図示しないボルトで接合されている。
【００５８】
合成梁１０は、第１の実施の形態で説明したものであり説明は省略する。柱梁接合部材６５の上側フランジの上面は、コンクリートスラブ２０の上面、及び上側フランジ１４の上面と同じ高さとされている。
【００５９】
これにより、柱梁仕口においても、コンクリートスラブ２０と、クリートスラブ２０を支持するＨ形鋼１２を合計した高さを小さくできる。
【００６０】
次に、耐火建築物６０への適用例について説明する。
図８（Ａ）に示すように、従来のコンクリートスラブ２０と、クリートスラブ２０を支持するＨ形鋼１２の構成においては、標準的な階高は４．０ｍである。このため、１階の階高を６．５ｍとした場合、地上の階数を８階とすれば建物高さは３４．５ｍとなる。道路斜線と隣地斜線の制限を考慮したとき、これ以上、階数を増やすことはできない。
【００６１】
一方、図８（Ｂ）に示すように、合成梁１０では、既述のようにコンクリートスラブ２０の厚さｈと耐火被覆材の厚さｓの分だけ階高を低くできる。例えば、居住空間の高さを同一に維持したまま、標準的な階高である４．０ｍより０．２ｍ低くして、階高を３．８ｍにすることができる。
【００６２】
この結果、同じ建築条件の敷地においても、１階の階高を６．５ｍとした場合、地上の階数を９階としても建物高さは３６．９ｍとなり、道路斜線と隣地斜線の制限を考慮しても許容範囲に納まる。
【００６３】
このように、同じ敷地の土地であるにも係わらず、従来８階であった階数を、１階増やせて９階の建物とすることができる。これにより、述べ床面積の増大、建築資材の減少が図れる。
【００６４】
なお、図７、８に示す耐火建築物６０は、第１の実施の形態に係る合成梁１０で説明したが、第２の実施の形態に係る合成梁４０を使用してもよい。
【図面の簡単な説明】
【００６５】
【図１】本発明の第１の実施の形態に係る合成梁の基本構成を示す図である。
【図２】本発明の第１の実施の形態に係る合成梁の効果を示す図である。
【図３】本発明の第１の実施の形態に係る合成梁の合成梁施工方法を示す図である。
【図４】本発明の第２の実施の形態に係る合成梁の基本構成を示す図である。
【図５】本発明の第２の実施の形態に係る合成梁の効果を示す図である。
【図６】本発明の第２の実施の形態に係る合成梁の合成梁施工方法を示す図である。
【図７】本発明の第３の実施の形態に係る耐火建築物の基本構成を示す図である。
【図８】本発明の第３の実施の形態に係る耐火建築物の適用例を示す図である。
【図９】従来例の梁とスラブの重ね寸法を低くする基本構成を示す図である。
【符号の説明】
【００６６】
１０  合成梁
１２  Ｈ形鋼
１４  上側フランジ
１６  下側フランジ
１８  ウェブ
２０  コンクリートスラブ
２２  ウェブコンクリート
２４  スタッド
２６  補強筋
３２  スラブ型枠
３４  ウェブ型枠
３６  コンクリート
４０  合成梁
６０  耐火建築物  
【図１】
2010047910.tif 000003
【図２】
2010047910.tif 000004
【図３】
2010047910.tif 000005
【図４】
2010047910.tif 000006
【図５】
2010047910.tif 000007
【図６】
2010047910.tif 000008
【図７】
2010047910.tif 000009
【図８】
2010047910.tif 000010
【図９】
2010047910.tif 000011